(57)【要約】【課題】同一画像であって拡張子が異なるコンテンツファイルが複数存在する場合にも、同一画像の連続再生を回避すること。【解決手段】同一のコンテンツに対して生成または更新される、ファイル名が同一で拡張子が異なる複数のコンテンツファイルを記憶・再生する情報処理装置１００において、複数のコンテンツファイルを外部機器から受信部３０１によって受信し、受信された複数のコンテンツファイルを記憶部３０２によって記憶する。そして、記憶部３０２によって記憶された複数のコンテンツファイルを、拡張子でソートし、同一の拡張子の複数のコンテンツファイルをさらにファイル名またはファイル生成日時のいずれか一方でソートするとともに、ファイル名またはファイル生成日時の表示順にしたがって、拡張子ごとにソートした状態で、ソートされた複数のコンテンツファイルを再生部３０６によって連続して順次再生するようにした。【選択図】図３
2008090580.tif 000002
【特許請求の範囲】
【請求項１】
同一のコンテンツに対して生成または更新される、ファイル名が同一で拡張子が異なる複数のコンテンツファイルを記憶・再生する電子機器において、
前記複数のコンテンツファイルを外部機器から受信する受信手段と、
前記受信手段によって受信された複数のコンテンツファイルを記憶する記憶手段と、
前記記憶手段によって記憶された複数のコンテンツファイルを、前記ファイル名またはファイル生成日時のいずれでソートするかの選択を受け付ける第１ソート選択受付手段と、
前記拡張子でソートするか否かの選択を受け付ける第２ソート選択受付手段と、
前記第２のソート選択受付手段によって前記拡張子でソートする選択を受け付けた場合には、前記記憶手段によって記憶された複数のコンテンツファイルを、前記拡張子でソートし、同一の拡張子の複数のコンテンツファイルをさらに前記第２のソート選択受付手段で受け付けた前記ファイル名またはファイル生成日時のいずれか一方でソートするソート実行手段と、
表示画面を制御して、前記ソート実行手段よってソートされた複数のコンテンツファイルを連続して順次再生する再生手段と、
を備え、
前記ソート実行手段は、
前記記憶手段によって記憶された複数のコンテンツファイルを、前記第１ソート選択受付手段によって選択を受け付けた前記ファイル名またはファイル生成日時の表示順にしたがって、前記拡張子ごとにソートすることを特徴とする電子機器。
【請求項２】
前記ソート実行手段によってソートされた複数のコンテンツファイルのファイル名称を、所定方向に連続してスクロール可能に表示する表示制御手段を備え、
前記再生手段は、前記表示制御手段によって表示されたファイル名称のスクロール方向にしたがって前記複数のコンテンツファイルを連続して順次再生することを特徴とする請求項１に記載の電子機器。
【請求項３】
前記表示制御手段は、
前記第１ソート選択受付手段および前記第２ソート選択受付手段による選択内容を一画面内に表示することを特徴とする請求項１または２に記載の電子機器。
【発明の詳細な説明】
【技術分野】
【０００１】
この発明は、電子機器に関する。
【背景技術】
【０００２】
たとえば、デジタルカメラなどの撮像装置は、撮像するごとに、撮像した画像のファイルを生成する。生成されたファイルのファイル名称は、たとえば、撮像日時などに基づいて生成される。近年の撮像装置には、撮像した画像に関して、拡張子が異なる複数のファイルを生成するものがある。同一の撮像装置を用いて同一日時に撮像した画像のファイルであれば、拡張子が異なっていても生成日時やファイル名称が同一となる。
【０００３】
従来、このような撮像装置が撮像した画像のファイルを記憶し、記憶したファイルに基づく画像を表示画面に表示可能とした電子機器がある。このような電子機器には、表示画面において所定方向にスクロール可能となるようにファイル名称を表示し、スクロールによって選択されたファイルに基づく画像を表示画面に表示可能としたものがある。ファイル名称は、たとえば、アルファベット順，あいうえお順，あるいはファイルの生成日時順などの基準にしたがった順序で表示される。
【０００４】
具体的には、たとえば、少なくとも１つ以上の複数のファイル形式のファイルが階層構造で記録された光ディスクを再生するディスク再生装置であって、光ディスクに記録されたファイル形式を選択し、光ディスクに階層構造で記録された全フォルダの中から再生可能なファイルのファイル名を読み出し、読み出されたファイル名の中から、上述のように選択されたファイル形式のファイル名を抽出し、抽出されたファイル名を名前順にソートしてファイル一覧を表示するようにしたディスク再生装置があった（たとえば、下記特許文献１を参照。）。
【０００５】
【特許文献１】特開２００５−１３５４７２号公報
【発明の開示】
【発明が解決しようとする課題】
【０００６】
しかしながら、上述特許文献１を含む従来の技術では、たとえば、アルファベット順，あいうえお順，あるいは画像データの生成日時順などの基準にしたがった順序でファイル名称が表示されるため、ファイル名称をスクロールした順序で画像を表示させた場合に、拡張子の種類数分だけ同じ画像を何度も繰り返して見ることとなり、煩わしいという問題があった。
【課題を解決するための手段】
【０００７】
この発明にかかる電子機器は、同一のコンテンツに対して生成または更新される、ファイル名が同一で拡張子が異なる複数のコンテンツファイルを記憶・再生する電子機器において、前記複数のコンテンツファイルを外部機器から受信する受信手段と、前記受信手段によって受信された複数のコンテンツファイルを記憶する記憶手段と、前記記憶手段によって記憶された複数のコンテンツファイルを、前記ファイル名またはファイル生成日時のいずれでソートするかの選択を受け付ける第１ソート選択受付手段と、前記拡張子でソートするか否かの選択を受け付ける第２ソート選択受付手段と、前記第２のソート選択受付手段によって前記拡張子でソートする選択を受け付けた場合には、前記記憶手段によって記憶された複数のコンテンツファイルを、前記拡張子でソートし、同一の拡張子の複数のコンテンツファイルをさらに前記第２のソート選択受付手段で受け付けた前記ファイル名またはファイル生成日時のいずれか一方でソートするソート実行手段と、表示画面を制御して、前記ソート実行手段よってソートされた複数のコンテンツファイルを連続して順次再生する再生手段と、を備え、前記ソート実行手段は、前記記憶手段によって記憶された複数のコンテンツファイルを、前記第１ソート選択受付手段によって選択を受け付けた前記ファイル名またはファイル生成日時の表示順にしたがって、前記拡張子ごとにソートすることを特徴とする。
【０００８】
この発明によれば、ファイル名またはファイル生成日時のいずれかでソートされたコンテンツファイルを拡張子でソートすることで、同一画像であって拡張子が異なるコンテンツファイルが複数存在する場合にも、同一画像の連続再生を回避することができる。
【０００９】
これによって電子機器は、同一画像を繰り返して再生することなく、記憶したコンテンツファイルの内容を再生することができる。そして、これによって電子機器の利用者は、同一画像が繰り返して再生されることによる煩わしさを覚えることなく、電子機器に記憶されたコンテンツファイルの内容を確認することができる。
【００１０】
また、この発明によれば、たとえば、利用者の好みにしたがって、同一画像の連続再生を回避しつつ、コンテンツファイルの内容を再生することができる。これによって電子機器は、利用者の使い勝手の向上を図ることができる。そして、これによって電子機器の利用者は、同一画像が繰り返して再生されることによる煩わしさを覚えることなく、電子機器に記憶されたコンテンツファイルの内容を容易に確認することができる。
【００１１】
また、この発明にかかる電子機器における前記ソート実行手段によってソートされた複数のコンテンツファイルのファイル名称を、所定方向に連続してスクロール可能に表示する表示制御手段を備え、前記再生手段は、前記表示制御手段によって表示されたファイル名称のスクロール方向にしたがって前記複数のコンテンツファイルを連続して順次再生することを特徴とする。
【００１２】
この発明によれば、ファイル名称をスクロールすることで、同一画像であって拡張子が異なるコンテンツファイルが複数存在する場合にも、同一画像の連続再生を回避しつつ、複数のコンテンツファイルを連続して順次再生することができる。
【００１３】
これによって電子機器は、ファイル名称をスクロールする指示操作によって、同一画像を繰り返して再生することなく、記憶したコンテンツファイルの内容を再生することができる。そして、これによって電子機器の利用者は、同一画像が繰り返して再生されることによる煩わしさを覚えることなく、電子機器に記憶されたコンテンツファイルの内容を簡易な操作で確認することができる。
【００１４】
また、この発明にかかる電子機器における前記表示制御手段は、前記第１ソート選択受付手段および前記第２ソート選択受付手段による選択内容を一画面内に表示することを特徴とする。
【００１５】
この発明によれば、ファイル名またはファイル生成日時のいずれかでコンテンツファイルをソートすること、および、当該コンテンツを拡張子でソートすることを、まとめて案内することができる。これによって電子機器は、ソートする条件の入力操作の容易化および入力内容の確認の容易化を図ることができる。そして、これによって電子機器の利用者は、入力や確認の作業に負担を感じることなくコンテンツファイルをソートすることができる。
【発明を実施するための最良の形態】
【００１６】
以下に添付図面を参照して、この発明にかかる電子機器の好適な実施の形態を詳細に説明する。この実施の形態では、この発明にかかる電子機器を情報処理装置に適用した例である。
【００１７】
（情報処理装置の外観）
図１−１および図１−２は、この実施の形態にかかる情報処理装置の外観図（（その１）および（その２））である。図１−１は情報処理装置の上面図を示しており、図１−２は情報処理装置の正面図を示している。図１−１に示したように、情報処理装置１００は、ＳＤメモリーカードスロット１０１、ＣＦカードスロット１０２、およびＣＦカードイジェクトボタン１０３を備えている。ＳＤメモリーカードスロット１０１には、ＳＤメモリーカード（登録商標）・ＭＭＣ（マルチメディアカード）などが挿入される。
【００１８】
ＣＦカードスロット１０２には、ＣＦカード・マイクロドライブが挿入される。ＣＦカードイジェクトボタン１０３は、ＣＦカードスロット１０２に挿入されたＣＦカードを取り出すときに押下される。ＣＦカードイジェクトボタン１０３が押下された場合には、ＣＦカードスロット１０２に挿入されたＣＦカードが、情報処理装置１００の外部へ排出される。図１−１中図示を省略するが、情報処理装置１００は、ＵＳＢコネクタを備えている。ＵＳＢコネクタには、たとえば、ＵＳＢケーブルを介してプリンタが接続される。
【００１９】
図１−２に示したように、情報処理装置１００は、高精細液晶ディスプレイ１０４、および各種操作キー１０５〜１１１を備えている。高精細液晶ディスプレイ１０４は、操作画面や画像データを表示する。高精細液晶ディスプレイ１０４としては、具体的には、たとえば４．１型の高精細液晶ディスプレイを使用することができる。各種操作キー１０５〜１１１のうち、図１−２中符号１０５は、「Ｐｒｉｎｔ」ボタンを示している。「Ｐｒｉｎｔ」ボタン１０５が印刷可能な画面で押下された場合、高精細液晶ディスプレイ１０４には印刷設定画面が表示される。
【００２０】
各種操作キー１０５〜１１１のうち、図１−２中符号１０６は、「Ｍｅｎｕ」ボタンを示している。「Ｍｅｎｕ」ボタン１０６が押下された場合、高精細液晶ディスプレイ１０４には、「Ｍｅｎｕ」ボタン１０６が押下された時点で実行可能な操作項目が、ポップアップメニューなどで表示される。各種操作キー１０５〜１１１のうち、図１−２中符号１０７は、「↑↓←→」キー（４−Ｗａｙリング）を示している。４−Ｗａｙリング１０７の押下によって任意の項目を選択させることができる。
【００２１】
各種操作キー１０５〜１１１のうち、図１−２中符号１０８は「ＯＫ」ボタンを示している。４−Ｗａｙリング１０７の押下によって選択された項目は、「ＯＫ」ボタン１０８の押下によって確定される。図示を省略するが、たとえば、「プリント」ボタンが選択された状態で「ＯＫ」ボタン１０８が押下された場合、プリント出力処理に関する処理が開始される。各種操作キー１０５〜１１１のうち、図１−２中符号１０９は「Ｃａｎｃｅｌ」ボタンを示している。「Ｃａｎｃｅｌ」ボタン１０９が押下された場合、「Ｃａｎｃｅｌ」ボタン１０９が押下された時点で実行中の操作が中止され、一つ前の画面が表示される。
【００２２】
各種操作キー１０５〜１１１のうち、図１−２中符号１１０は「Ｄｉｓｐｌａｙ」ボタンを示している。「Ｄｉｓｐｌａｙ」ボタン１１０が押下された場合、高精細液晶ディスプレイ１０４には、操作説明や画面の情報が表示される。各種操作キー１０５〜１１１のうち、図１−２中符号１１１は「Ｈｏｍｅ」ボタンを示している。「Ｈｏｍｅ」ボタン１１１が押下された場合、「Ｈｏｍｅ」ボタン１１１が押下された時点で実行中の操作が中止され、「ホーム画面（初期メニュー画面）」が表示される。
【００２３】
（情報処理装置のハードウエア構成）
図２は、この実施の形態にかかる情報処理装置１００のハードウエア構成図である。図２において、情報処理装置１００は、ＣＰＵ２０１と、メモリ２０２と、メモリコントローラ２０３と、ＨＤＤ（ハードディスクドライブ）２０４と、ＡＴＡ  Ｉ／Ｆ（インターフェース）２０５と、入力デバイス２０６と、汎用入出力制御ユニット２０７と、ビデオＩ／Ｆ（インターフェース）２０８と、ビデオデコーダ２０９と、ＬＥＤ（Ｌｉｇｈｔ  Ｅｍｉｔｔｉｍｇ  Ｄｉｏｄｅ）２１０と、上述した高精細液晶ディスプレイ１０４と、オーディオＩ／Ｆ（インターフェース）２１１と、オーディオデコーダ２１２と、スピーカ２１３と、ヘッドフォン２１４と、電源制御ユニット２１５と、バッテリ２１６と、を備えている。情報処理装置１００が備える各部２０１〜２１６は、それぞれバス２１７によって接続される。
【００２４】
ＣＰＵ２０１は、メモリ２０２、ＨＤＤ２０４などに記憶されたプログラムを実行することによって、情報処理装置１００全体を制御する。メモリ２０２は、情報処理装置１００の基本処理プログラムなどを記憶している。メモリ２０２としては、たとえばＲＯＭ（Ｒｅａｄ  Ｏｎｌｙ  Ｍｅｍｏｒｙ）やＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）が用いられる。また、メモリコントローラ２０３は、ＣＰＵ２０１の制御にしたがって、メモリ２０２に対するデータの読み取り／書き込みを制御する。
【００２５】
ＨＤＤ２０４は、画像データや、制御プログラムなどの各種情報を記憶する。ＨＤＤ２０４の代わりにあるいはＨＤＤ２０４に加えて、ＤＶＤ、コンパクトディスク（ＣＤ）などの着脱可能な記憶媒体による記憶装置であってもよい。また、ＨＤＤ２０４はＡＴＡ  Ｉ／Ｆ２０５によって、ＣＰＵ２０１と接続されており、このＡＴＡ  Ｉ／Ｆ２０５により、ＨＤＤ２０４に格納されているデータの読み出しおよび書き込みをおこなう。
【００２６】
近年のデジタルカメラでは、機種によっては、同じ画像を複数種類の形式で記録するものがある。具体的に、このようなデジタルカメラでは、たとえば、シャッターボタンを１回操作するごとに、「．ＪＰＧ」および「．ＪＰＥ」のように、拡張子が異なる複数のファイルが生成される。このようなデジタルカメラで生成されたファイルを、ＨＤＤ２０４にそのままコピーした場合、ＨＤＤ２０４には、高精細液晶ディスプレイ１０４に表示される画像が同一であって、拡張子の異なる画像が記憶されることになる。
【００２７】
入力デバイス２０６は、文字、数値、各種指示などの入力のための、たとえば図１−２に示すような各種ボタンによって構成されている。また、汎用入出力制御ユニット２０７は、入力デバイス２０６からの入出力を制御する。
【００２８】
ビデオＩ／Ｆ２０８は、ビデオデコーダ２０９を介して、上述した高精細液晶ディスプレイ１０４と接続される。このビデオＩ／Ｆ２０８は、たとえば、高精細液晶ディスプレイ１０４の全体の制御をおこなうグラフィックコントローラと、即時表示可能な画像情報を一時的に記録するＶＲＡＭ（Ｖｉｄｅｏ  ＲＡＭ）などのバッファメモリと、高精細液晶ディスプレイ１０４を表示制御する制御ＩＣなどによって構成される。
【００２９】
具体的には、ビデオＩ／Ｆ２０８は、グラフィックコントローラから出力された画像データをビデオデコーダ２０９によって復号化し、その復号化した画像データに基づいて、高精細液晶ディスプレイ１０４を表示制御する。ＬＥＤ２１０は、点灯または点滅することによって、利用者に情報処理装置１００の状態あるいは利用者へ所定の情報（たとえば警告情報など）を告知する。
【００３０】
オーディオＩ／Ｆ２１１は、オーディオデコーダ２１２を介してスピーカ２１３およびヘッドフォン２１４に接続される。具体的には、オーディオＩ／Ｆ２１１から出力された音声データをオーディオデコーダ２１２によって復号化し、スピーカ２１３およびヘッドフォン２１４から音声出力する。
【００３１】
電源制御ユニット２１５は、利用者によって情報処理装置１００の電源がＯＮにされた際に、バッテリ２１６からの電力を各構成部に供給する。また、利用者によって情報処理装置１００の電源がＯＦＦにされた際には、各構成部に対する電力の供給を終了する。加えて、図示を省略するが、情報処理装置１００は、ＵＳＢコネクタに接続されたプリンタとの間で通信をおこなう通信Ｉ／Ｆを備えている。
【００３２】
（情報処理装置の機能的構成）
図３は、この実施の形態にかかる情報処理装置１００の機能的構成を示すブロック図である。図３に示したように、情報処理装置１００は、受信部３０１と、記憶部３０２と、第１ソート選択部（第１ソート選択受付部）３０３と、第２ソート選択部（第２ソート選択受付部）３０４と、ソート実行部３０５と、再生部３０６と、表示制御部３０７と、を備えている。受信部３０１は、複数のコンテンツファイルを外部機器から受信する。受信部３０１は、同一のコンテンツに対して生成される、ファイル名が同一で拡張子が異なる複数のコンテンツファイルを受信する。
【００３３】
記憶部３０２は、受信部３０１によって受信された複数のコンテンツファイルを記憶する。ファイル名が同一で拡張子が異なる複数のコンテンツファイルは、たとえば、デジタルカメラなどの撮像装置において生成された画像データである。第１ソート選択部３０３は、記憶部３０２によって記憶された複数のコンテンツファイルを、ファイル名およびファイル生成日時のいずれでソートするかの選択を受け付ける。
【００３４】
具体的に、第１ソート選択部３０３は、たとえば、「日付で昇順表示」，「日付で降順表示」，「名前で昇順表示」，あるいは「名前で降順表示」などの順序でソートするような選択を受け付ける。第２ソート選択部３０４は、拡張子でソートするか否かの選択を受け付ける。
【００３５】
ソート実行部３０５は、第２ソート選択部３０４によって拡張子でソートする選択を受け付けた場合には、記憶部３０２によって記憶された複数のコンテンツファイルを、拡張子でソートし、同一の拡張子の複数のコンテンツファイルをさらに第２ソート選択部３０４で受け付けたファイル名またはファイル生成日時のいずれか一方でソートする。
【００３６】
また、ソート実行部３０５は、記憶部３０２によって記憶された複数のコンテンツファイルを、第１ソート選択部３０３によって選択を受け付けた前記ファイル名またはファイル生成日時の表示順にしたがって、拡張子ごとにソートする。なお、ソート実行部３０５がおこなうソート技術に関しては、公知の技術であるため説明を省略する。
【００３７】
第１ソート選択部３０３および第２ソート選択部３０４によって受け付けた選択にしたがってソート実行部３０５がおこなうソートの順番は、以下に示した優先条件にしたがって、たとえば、製造時に任意に設定することが可能である。以下に示した優先条件は、優先度が高い優先情報から順に記載されている。
【００３８】
ソートの順番
（１）フォルダ
（２）ＪＰＥＧ系（たとえば、ＪＰＧ，ＪＰＥなど）
（３）ＲＡＷファイル系（たとえば、ＣＲＷ，ＣＲ２，ＤＮＧ，ＥＲＦ，ＭＲＷ，ＮＥＦ，ＯＲＦ，ＰＥＦ，ＲＡＦなど）
（４）動画系（たとえば、ＡＶＩ，ＡＳＦ，ＤＩＶ，Ｍ４Ｖ，ＭＯＤ，ＭＯＶ，ＭＰ４，ＭＰＧ，ＭＰＥ，ＶＯＢ，ＷＭＶ，Ｍ４Ａなど）
（５）音楽系（たとえば、ＭＰ３，ＷＭＡなど）
（６）その他
【００３９】
「（６）その他」に関して、上記の拡張子以外の拡張子が存在する場合には、たとえば、ＵＮＩＣＯＤＥにしたがった順序で、アルファベット順にソートすることが可能である。（１）において、たとえば、同一のディレクトリにフォルダとファイルとが混在する場合には、フォルダがファイルより前にくるようにソートする、という優先条件を追加することが可能である。
【００４０】
再生部３０６は、表示画面を制御して、ソート実行部３０５によってソートされた複数のコンテンツファイルを連続して順次再生する。表示制御部３０７は、ソート実行部３０５によってソートされた複数のコンテンツファイルのファイル名称を、所定方向に連続してスクロール可能に表示する。この場合、再生部３０６は、表示制御部３０７によって表示されたファイル名称のスクロール方向にしたがって複数のコンテンツファイルを連続して順次再生するようにしてもよい。また、表示制御部３０７は、第１ソート選択部３０３および第２ソート選択部３０４による選択内容を高精細ディスプレイ１０４上で、一画面内に表示する（図４を参照）。
【００４１】
（表示画面の一例）
図４は、情報処理装置１００における表示画面の一例（その１）を示す説明図である。図４に示した表示画面４００は、図示しない初期画面において４−Ｗａｙリング１０７および「ＯＫ」ボタン１０８を操作することによって、高精細液晶ディスプレイ１０４に表示される。表示画面４００に示したように、ＨＤＤ２０４に記憶されたデータのファイル名称は、利用者が指定した任意の順序で表示させることができる。
【００４２】
図５は、情報処理装置１００における表示画面の一例（その２）を示す説明図である。図５に示した表示画面５００は、上述したソート実行部３０５によってソートする前の高精細ディスプレイ１０４を示している。図６は、情報処理装置１００における表示画面の一例（その３）を示す説明図である。図６に示した表示画面６００は、上述したソート実行部３０５によってソートした後の高精細ディスプレイ１０４を示している。
【００４３】
上述したように、情報処理装置１００においては、「日付で昇順表示」，「日付で降順表示」，「名前で昇順表示」，あるいは「名前で降順表示」の中のいずれか一つの順序で表示するように指定することができる。また、情報処理装置１００においては、いずれの順序を指定した場合にも、さらに、「拡張子別で表示」を指定することが可能である。
【００４４】
ＨＤＤ２０４が記憶するファイル名称を、たとえば、アルファベット順，あいうえお順，あるいは画像データの生成日時順などの基準にしたがった順序で表示させると、ファイル名称をスクロールした順序で画像を表示させた場合に、拡張子の種類数分だけ同じ画像を何度も繰り返して見ることになる。
【００４５】
これに対し、実施の形態の情報処理装置１００では、「日付で昇順表示」，「日付で降順表示」，「名前で昇順表示」，あるいは「名前で降順表示」の中のいずれか一つでファイル名称をソートした後、さらに拡張子でソートした状態でファイル名称が表示される。これによって、拡張子が異なる同一画像のファイルが複数存在し、ファイル名称をスクロールした順序で画像を表示させた場合にも、同一画像を繰り返して見ることなく、ＨＤＤ２０４に記憶された画像を確認することができる。
【００４６】
上述したように実施の形態の情報処理装置１００によれば、ファイル名またはファイル生成日時のいずれかでソートされたコンテンツファイルを拡張子でソートすることで、同一画像であって拡張子が異なるコンテンツファイルが複数存在する場合にも、同一画像の連続再生を回避することができる。
【００４７】
これによって情報処理装置１００は、同一画像を繰り返して再生することなく、記憶したコンテンツファイルの内容を再生することができる。そして、これによって情報処理装置１００の利用者は、同一画像が繰り返して再生されることによる煩わしさを覚えることなく、情報処理装置１００に記憶されたコンテンツファイルの内容を確認することができる。
【００４８】
また、実施の形態の情報処理装置１００によれば、ファイル名称をスクロールすることで、同一画像であって拡張子が異なるコンテンツファイルが複数存在する場合にも、同一画像の連続再生を回避しつつ、複数のコンテンツファイルを連続して順次再生することができる。
【００４９】
これによって情報処理装置１００は、ファイル名称をスクロールする指示操作によって、同一画像を繰り返して再生することなく、記憶したコンテンツファイルの内容を再生することができる。そして、これによって情報処理装置１００の利用者は、同一画像が繰り返して再生されることによる煩わしさを覚えることなく、情報処理装置１００に記憶されたコンテンツファイルの内容を簡易な操作で確認することができる。
【００５０】
また、実施の形態の情報処理装置１００によれば、ファイル名またはファイル生成日時のいずれかでコンテンツファイルをソートすること、および、当該コンテンツを拡張子でソートすることを、一画面でまとめて案内することができる。これによって情報処理装置１００は、ソートする条件の入力操作の容易化および入力内容の確認の容易化を図ることができる。そして、これによって情報処理装置１００の利用者は、入力や確認の作業に負担を感じることなくコンテンツファイルをソートすることができる。
【００５１】
また、実施の形態の情報処理装置１００によれば、たとえば、利用者の好みにしたがって、同一画像の連続再生を回避しつつ、コンテンツファイルの内容を再生することができる。これによって情報処理装置１００は、利用者の使い勝手の向上を図ることができる。そして、これによって情報処理装置１００の利用者は、同一画像が繰り返して再生されることによる煩わしさを覚えることなく情報処理装置１００に記憶されたコンテンツファイルの内容を容易に確認することができる。
【００５２】
以上説明したように、実施の形態の情報処理装置１００によれば、同一画像であって拡張子が異なるコンテンツファイルが複数存在する場合にも、同一画像の連続再生を回避することができる。
【図面の簡単な説明】
【００５３】
【図１−１】この実施の形態にかかる情報処理装置の外観図（その１）。
【図１−２】この実施の形態にかかる情報処理装置の外観図（その２）。
【図２】この実施の形態にかかる情報処理装置のハードウエア構成図。
【図３】この実施の形態にかかる情報処理装置の機能的構成を示すブロック図。
【図４】情報処理装置における表示画面の一例（その１）を示す説明図。
【図５】情報処理装置における表示画面の一例（その２）を示す説明図。
【図６】情報処理装置における表示画面の一例（その３）を示す説明図。
【符号の説明】
【００５４】
１００  情報処理装置、３０１  受信部、３０２  記憶部、３０３  第１ソート選択部（第１ソート選択受付部）、３０４  第２ソート選択部（第２ソート選択受付部）、３０５  ソート実行部、３０６  再生部、３０７  表示制御部
【図１−１】
2008090580.tif 000003
【図１−２】
2008090580.tif 000004
【図２】
2008090580.tif 000005
【図３】
2008090580.tif 000006
【図４】
2008090580.tif 000007
【図５】
2008090580.tif 000008
【図６】
2008090580.tif 000009